(57)【要約】【課題】作業時間および手間を軽減するペアリング方法を提供する。【解決手段】複数の照明器具１と複数の無線ＩＦ装置２との間の通信相手を決定するペアリング方法であって、配置マップにおける複数の照明器具１および複数の無線ＩＦ装置２に仮アドレスを付与し、かつ、照明器具１の仮アドレスと無線ＩＦ装置２の仮アドレスとを１対多で対応付けることによって仮ペアリングデータ６７を生成し（Ｓ１ｂ）、配置マップに従って複数の照明器具１および複数の無線ＩＦ装置２が設置された設置段階において、仮ペアリングデータにおける仮アドレスを実アドレスに対応付けることによって本ペアリングデータ６８を生成し（Ｓ３ｂ）、複数の照明器具１および複数の無線ＩＦ装置２のそれぞれに、本ペアリングデータ６８で対応付けられた実アドレスを通知し、通信相手の実アドレスとして記憶させる。【選択図】図７
2019133808.tif 000002
【特許請求の範囲】
【請求項１】
制御信号を無線送信する複数の無線ＩＦ（interface）装置と、前記制御信号を受信する複数の照明器具とを含む照明システムを対象として、照明器具と無線ＩＦ装置との間の通信相手を決定するペアリング方法であって、
前記複数の照明器具および前記複数の無線ＩＦ装置の配置を示す配置マップを取得し、
前記配置マップにおける前記複数の照明器具および前記複数の無線ＩＦ装置に仮アドレスを付与し、かつ、照明器具の仮アドレスと無線ＩＦ装置の仮アドレスとを１対多で対応付けることによって仮ペアリングデータを生成し、
前記配置マップに従って前記複数の照明器具および前記複数の無線ＩＦ装置が設置された設置段階において、前記仮ペアリングデータにおける仮アドレスを実アドレスに対応付けることによって本ペアリングデータを生成し、
前記複数の照明器具および前記複数の無線ＩＦ装置のそれぞれに、前記本ペアリングデータで対応付けられた実アドレスを通知し、通信相手の実アドレスとして記憶させる
ペアリング方法。
【請求項２】
前記仮ペアリングデータの生成において、
前記配置マップ上での、前記無線ＩＦ装置と前記照明器具との距離を算出し、
算出した距離が所定値より小さい照明器具の判別を行い、
判別した照明器具と当該無線ＩＦ装置とを対応付けをする
請求項１に記載のペアリング方法。
【請求項３】
前記仮ペアリングデータの生成において、さらに、
２つ以上の無線ＩＦ装置に重複して対応付けられた照明器具の台数がしきい値より大きいかどうかを判定し、
しきい値より大きいと判定された場合は、前記所定値を変更し、再度、前記判別および前記対応付けをする
請求項２に記載のペアリング方法。
【請求項４】
前記仮ペアリングデータの生成において、さらに、
無線ＩＦ装置に対応付けられていない照明器具の台数がしきい値より大きいかどうかを判定し、
しきい値より大きいと判定された場合は、前記所定値を変更し、再度、前記判別および前記対応付けをする
請求項２に記載のペアリング方法。
【請求項５】
前記仮ペアリングデータの生成において、さらに、
対応付けられた照明器具と無線ＩＦ装置との間に、前記配置マップにおいて電波伝搬の障害物が存在するかどうかを判定し、
前記障害物が存在すると判定した場合に、ユーザーにその旨を警告する
請求項２〜４のいずれか１項に記載のペアリング方法。
【請求項６】
前記仮ペアリングデータの生成において、
前記配置マップ上の建物の柱および建物の壁の少なくとも１つを前記障害物と判定する
請求項５に記載のペアリング方法。
【請求項７】
前記仮ペアリングデータの生成において、
前記配置マップを表示し、
表示された前記配置マップ上でユーザー操作に従って照明器具と無線ＩＦ装置とを対応付けをする
請求項１に記載のペアリング方法。
【請求項８】
前記仮ペアリングデータの生成において、
照明器具と無線ＩＦ装置とに同じ仮アドレスを付与することによって対応付けをする
請求項２〜７のいずれか１項に記載のペアリング方法。
【請求項９】
前記仮ペアリングデータの生成において、
同一の無線ＩＦ装置に対応付ける複数の照明器具に同じ仮アドレスを付与する
請求項２〜８のいずれか１項に記載のペアリング方法。
【請求項１０】
前記仮ペアリングデータの生成において、
同一の無線ＩＦ装置に対応付けられた複数の照明器具を、共通の照明動作をさせる運用グループと決定する
請求項２〜９のいずれか１項に記載のペアリング方法。
【請求項１１】
前記仮ペアリングデータの生成において、
前記複数の照明器具を、共通の照明動作をさせる運用グループに分割し、
１つの運用グループに属する照明器具に同一の無線ＩＦ装置を対応付ける
請求項２〜９のいずれか１項に記載のペアリング方法。
【請求項１２】
前記ペアリング方法は、さらに、
前記本ペアリングデータの生成の後に前記運用グループが変更されたかどうかを判定し、
前記運用グループが変更されたとき、
前記運用グループと、同一の無線ＩＦ装置にペアリングされた照明器具のグループとが一致するように、前記本ペアリングデータを変更する
請求項１０または１１に記載のペアリング方法。
【請求項１３】
制御信号を無線送信する複数の無線ＩＦ装置と、前記制御信号を受信する複数の照明器具とを含む照明システムを対象として、照明器具と無線ＩＦ装置との間の通信相手を決定するペアリング装置であって、
表示パネル、ユーザー操作を受け付ける操作部、プログラムを実行するプロセッサ、前記プログラムを記憶する記憶部および無線回路を備え、
前記複数の照明器具および前記複数の無線ＩＦ装置の配置を示す配置マップを取得し、
前記配置マップにおける前記複数の照明器具および前記複数の無線ＩＦ装置に仮アドレスを付与し、かつ、照明器具の仮アドレスと無線ＩＦ装置の仮アドレスとを１対多で対応付けることによって仮ペアリングデータを生成し、
前記配置マップに従って前記複数の照明器具および前記複数の無線ＩＦ装置が設置された設置段階において、前記仮ペアリングデータにおける仮アドレスを実アドレスに対応付けることによって本ペアリングデータを生成し、
前記無線回路を介して、前記複数の照明器具および前記複数の無線ＩＦ装置のそれぞれに、前記本ペアリングデータで対応付けられた実アドレスを通知し、通信相手の実アドレスとして記憶させる
ペアリング装置。
【発明の詳細な説明】
【技術分野】
【０００１】
本発明は、制御信号を無線送信する複数の無線ＩＦ（interface）装置と、前記制御信号を受信する複数の照明器具とを含む照明システムを対象として、照明器具と無線ＩＦ装置との間の通信相手を決定するペアリング方法およびペアリング装置に関する。
【背景技術】
【０００２】
特許文献１は、照明エリア内の所定エリアの照明を、独占的に制御可能な照明制御システムを提案している。
【０００３】
特許文献２に開示された照明システムは、照明エリア内に配置される複数の照明器具と、端末装置とを含む。この端末装置は、複数の照明器具の照明エリア内に配置された様子を示すイメージデータである図面データを取得する取得部と、図面データにおける複数の照明器具の各々に、照明器具の識別子及びスペックのうち少なくとも一つを付与する付与部とを備える。
【０００４】
特許文献３は、簡単で、かつ、確実に、照明システムにおけるマッピングを完了することができる照明システム、照明器具及び端末装置を提案している。ここでいうマッピングとは、端末装置が認識している複数の照明器具のそれぞれを識別する情報（以下、この情報を「論理アドレス」という）と、制御命令を受信するために予め個々の照明器具において設定された通信アドレスとを対応付けて記憶することをいう。
【先行技術文献】
【特許文献】
【０００５】
【特許文献１】特開２０１７−６３０５７号公報
【特許文献２】特開２０１７−１６２７００号公報
【特許文献３】特開２０１７−１６２７３０号公報
【発明の概要】
【発明が解決しようとする課題】
【０００６】
従来技術において、照明器具と無線ＩＦ装置との間の通信相手を決定するペアリングは、照明システムを構成する照明器具の台数が多い場合には、多大な作業時間および手間を要するという問題がある。
【０００７】
本発明は、ペアリングにかかる作業時間および手間を軽減するペアリング方法およびペアリング装置を提供することを目的とする。
【課題を解決するための手段】
【０００８】
上記目的を達成するために、本発明に係るペアリング方法の一形態は、制御信号を無線送信する複数の無線ＩＦ装置と、前記制御信号を受信する複数の照明器具とを含む照明システムを対象として、照明器具と無線ＩＦ装置との間の通信相手を決定するペアリング方法であって、前記複数の照明器具および前記複数の無線ＩＦ装置の配置を示す配置マップを取得し、前記配置マップにおける前記複数の照明器具および前記複数の無線ＩＦ装置に仮アドレスを付与し、かつ、照明器具の仮アドレスと無線ＩＦ装置の仮アドレスとを１対多で対応付けることによって仮ペアリングデータを生成し、前記配置マップに従って前記複数の照明器具および前記複数の無線ＩＦ装置が設置された設置段階において、前記仮ペアリングデータにおける仮アドレスを実アドレスに対応付けることによって本ペアリングデータを生成し、前記複数の照明器具および前記複数の無線ＩＦ装置のそれぞれに、前記本ペアリングデータで対応付けられた実アドレスを通知し、通信相手の実アドレスとして記憶させる。
【発明の効果】
【０００９】
本発明に係るペアリング方法およびペアリング装置によれば、ペアリングにかかる時間および手間を軽減することができる。
【図面の簡単な説明】
【００１０】
【図１】図１は、実施の形態に係る照明システムの構成例を示す図である。
【図２】図２は、実施の形態に係る照明器具の構成例を示す図である。
【図３】図３は、実施の形態に係る無線ＩＦ装置の構成例を示す図である。
【図４】図４は、実施の形態に係るコントローラ（制御装置）の構成例を示す図である。
【図５】図５は、実施の形態に係る端末装置の構成例を示す図である。
【図６】図６は、実施の形態に係る端末装置における記憶部の記憶内容の例を示す図である。
【図７】図７は、実施の形態に係る照明システムの設計段階から運用段階までの流れと、端末装置５によるペアリング方法の一例とを示すフローチャートである。
【図８】図８は、図７のステップＳ１ｂ（仮ペアリング処理）のより詳細な処理例を示すフローチャートである。
【図９】図９は、図８のステップＳ１ｂ３（仮アドレス対応付け）のより詳細な処理例を示すフローチャートである。
【図１０】図１０は、図７のステップＳ３ｂ（本ペアリング処理）のより詳細な処理例を示すフローチャートである。
【図１１】図１１は、図７のステップＳ７（ペアリング変更処理）のより詳細な処理例を示すフローチャートである。
【図１２】図１２は、実施の形態に係る端末装置の記憶部に記憶された設計データの一例を示す図である。
【図１３】図１３は、実施の形態に係る端末装置のＵＩ部における配置マップの表示例を示す図である。
【図１４】図１４は、図１３の配置マップ上で仮アドレスが付与されたときの配置マップの表示例を示す図である。
【図１５】図１５は、実施の形態に係るペアリング方法で生成された、照明器具の仮ペアリングデータの一例を示す図である。
【図１６】図１６は、実施の形態に係るペアリング方法で生成された、無線ＩＦ装置の仮ペアリングデータの一例を示す図である。
【図１７】図１７は、図１４の表示例に対応し、収集された実アドレスの一覧表示が追加された表示例を示す図である。
【図１８】図１８は、図１７において、実アドレスアイコンの１つを選択するタップ操作を示す図である。
【図１９】図１９は、図１８において、選択された実アドレスアイコンを照明器具アイコンに対応付けるために、ドラッグ・アンド・ドロップする操作を示す図である。
【図２０】図２０は、図１９において、照明器具（アイコン）に実アドレス（アイコン）を対応付けた図である。
【図２１】図２１は、実施の形態に係るペアリング方法で生成された、照明器具基準の本ペアリングデータの一例を示す図である。
【図２２】図２２は、実施の形態に係るペアリング方法で生成された、無線ＩＦ装置基準の本ペアリングデータの一例を示す図である。
【図２３】図２３は、運用グループの一例を示す図である。
【図２４】図２４は、図２３の運用グループを示す運用グループデータの一例を示す図である。
【図２５】図２５は、図２３の運用グループの変更例を示す図である。
【図２６】図２６は、変更後の運用グループデータの一例を示す図である。
【図２７】図２７は、図２３の運用グループに対応する本ペアリングデータの一例を示す図である。
【図２８】図２８は、図２５の運用グループ変更例に対応する本ペアリングデータの一例を示す図である。
【発明を実施するための形態】
【００１１】
以下、本発明の実施の形態について、図面を用いて詳細に説明する。なお、以下で説明する実施の形態は、いずれも本発明の好ましい一具体例を示す。以下の実施の形態で示される数値、形状、材料、構成要素、構成要素の配置位置および接続形態、ステップおよびステップの順序等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。また、各図は、模式図であり、必ずしも厳密な寸法を表すものではない。
【００１２】
（実施の形態１）
［１  端末装置および照明システムの構成例］
ペアリング装置としての端末装置を説明する前に、まずペアリングの対象となる照明システムの全体構成例について説明する。
【００１３】
図１は、実施の形態に係る端末装置５および照明システムの構成例を示す図である。
【００１４】
同図の照明システムは、複数の照明器具１、複数の無線ＩＦ（interface）装置２、コントローラ３、および、スイッチパネル４を備える。コントローラ３は制御装置とも呼ばれる。端末装置５は、照明器具１と無線ＩＦ装置２との間の通信相手を決定するペアリングをする装置であって、ペアリング装置とも呼ばれる。
【００１５】
図１において、複数の照明器具１のそれぞれは、いずれかの無線ＩＦ装置２から無線送信される制御信号を受信し、受信した制御信号に従って動作をする。例えば、制御信号は、点灯、消灯、調光、または調色等の指示を含む。上記の、いずれかの無線ＩＦ装置２というのは、照明器具１にペアリングされた無線ＩＦ装置２である。ペアリングとは、照明器具と無線ＩＦ装置との間の通信相手を決定することをいう。より具体的には、ペアリングとは、照明器具および無線ＩＦ装置に、互いの通信相手の実アドレスを、通信相手を示す情報として記憶させることである。これにより、照明器具１は、受信した制御信号の送信元アドレスが記憶した通信相手の実アドレスと一致する場合は、当該制御信号に従って動作し、一致しない場合は、当該制御信号を無視または破棄する。無線ＩＦ装置２は、照明器具１からの信号（例えば応答信号）の送信元アドレスが、通信相手の実アドレスと一致する場合は当該信号に従って動作し、一致しない場合は当該信号を無視または破棄する。
【００１６】
なお、実アドレスとは、仮アドレスに対する用語であって、個々の照明器具１、個々の無線ＩＦ装置２に固有のアドレスであって、実際の通信に用いられるアドレスをいい、物理アドレスまたは論理アドレスと呼ばれるアドレスでよく、例えば、ＭＡＣ（Media Access Control）アドレス、ＩＰ（Internet Protocol）アドレスでもよい。また、仮アドレスとは、照明システムの設計段階などにおいて照明器具１または無線ＩＦ装置２の現物がまだ存在しないとき（または特定されていないとき）、つまり、実アドレスが不明であるときに、実アドレスの代用として仮に割り当てられる架空の一時的なアドレスをいう。仮アドレスは、設計段階における仮のペアリングに用いられる。
【００１７】
複数の無線ＩＦ装置２のそれぞれは、有線通信路を介してコントローラ３に接続され、複数の照明器具１のうちのペアリングされた照明器具１と無線通信路により接続される。複数の無線ＩＦ装置２のそれぞれは、コントローラ３から有線通信路を介して照明器具１宛ての制御信号を受信し、当該制御信号の送信先がペアリングされた照明器具１であれば、当該制御信号を無線通信路を介して照明器具１に中継する。また、複数の無線ＩＦ装置２のそれぞれは、ペアリングされた照明器具１からの信号（例えば応答信号）を、無線通信路を介して受信し、有線通信路を介して、当該信号をコントローラ３に中継する。
【００１８】
複数の照明器具１は、共通の照明動作をすべき照明器具１をメンバーとする複数の運用グループに分割される。例えば、運用グループは、同じ部屋、同じ部署、同じ売り場、同じ教室、または同じ区画に属する照明器具１の集まりである。
【００１９】
コントローラ３は、照明動作を制御する制御信号を、無線ＩＦ装置２を介して照明器具１宛てに送信する。制御信号は、照明器具１に点灯、消灯、調光、または調色等を指示する。コントローラ３は、例えば、予め設定された照明スケジュールデータ、および、ユーザーによるスイッチパネル４の操作に従って、運用グループ毎に照明動作を制御することができる。
【００２０】
スイッチパネル４は、例えば、複数のスイッチ、調光つまみ等を有し、ユーザー操作を受け付ける。複数のスイッチおよび調光つまみは、例えば複数の運用グループに対応する。
【００２１】
端末装置５は、制御信号を無線送信する複数の無線ＩＦ装置２と、制御信号を受信する複数の照明器具１とを含む照明システムを対象として、照明器具１と無線ＩＦ装置２との間の通信相手を決定するペアリング方法を実行する。端末装置５は、照明システムの設計段階、設置段階、運用変更時に用いられるので、照明システムの一時的な構成要素であればよく、照明システムの永続的な構成要素でなくてもよい。
【００２２】
［１．１  照明器具１の構成例］
次に、照明器具１の構成例について説明する。
【００２３】
図２は、実施の形態に係る照明器具１の構成例を示す図である。同図のように、照明器具１は、光源ユニット１１、点灯回路１２、制御回路１３、無線回路１４および記憶部１５、電源回路１６を備える。
【００２４】
光源ユニット１１は、光源を有し照明光を発する。光源は、例えばＬＥＤ（Light Emitting Diode）、蛍光灯、白熱灯でよい。
【００２５】
点灯回路１２は、光源ユニット１１に電力を供給することにより、光源ユニット１１を点灯させる。
【００２６】
制御回路１３は、点灯回路１２を制御することにより、照明器具１の照明動作を制御する。制御回路１３は、無線回路１４によって受信された制御信号に従って、照明動作として、光源ユニット１１の点灯および消灯を制御する。さらに、制御回路１３は、照明光の調光および調色を制御してもよい。
【００２７】
無線回路１４は、無線ＩＦ装置２から無線送信される制御信号を受信し、受信した制御信号を制御回路１３に通知する。また、無線回路１４は、制御回路１３から通知される応答信号を無線ＩＦ装置２に無線送信する。
【００２８】
ここで、照明器具１における制御信号の扱い例について説明する。制御信号は、送信先アドレス、送信元アドレスおよびコマンドを含む。無線ＩＦ装置２から照明器具１に送信される制御信号の送信先アドレスは照明器具１の実アドレスが設定され、送信元アドレスは無線ＩＦ装置２の実アドレスが設定される。
【００２９】
送信先アドレスは、例えば次のように扱われる。すなわち、制御回路１３は、無線回路１４から通知された制御信号の送信先アドレスが自身の実アドレス（つまり照明器具１の実アドレス）に該当するとき、当該制御信号に従って点灯回路１２を制御する。逆に、制御回路１３は、無線回路１４から通知された制御信号の送信先アドレスが自身の実アドレスに該当しないとき、当該制御信号に従う制御をすることなく、当該制御信号を破棄する。
【００３０】
送信元アドレスは、例えば次のように扱われる。すなわち、制御回路１３は、無線回路１４から通知された制御信号の送信元アドレスが、通信相手の実アドレス（無線ＩＦ装置２の実アドレス）に該当するとき、当該制御信号に従って点灯回路１２を制御する。逆に、制御回路１３は、無線回路１４から通知された制御信号の送信元アドレスが通信相手の実アドレスに該当しないとき、当該制御信号に従う制御をすることなく、当該制御信号を破棄する。
【００３１】
また、制御信号に含まれるコマンドは、照明器具１の照明動作を指示する信号であり、例えば、点灯、消灯、調光または調色を指示する。
【００３２】
図２の記憶部１５は、通信相手を示す情報としていずれかの無線ＩＦ装置２の実アドレスを記憶するためのメモリである。記憶部１５は、照明器具１の出荷時には、通信相手を示す情報を記憶していない。通信相手を示す情報は、端末装置５がペアリングした結果、端末装置５から照明器具１に通信相手を示す情報を載せた制御信号によって通知される。無線回路１４が端末装置５または他の装置から通信相手を示す情報を載せた制御信号を受信したとき、制御回路１３は、記憶部１５に通信相手を示す情報として通信相手の実アドレスを書き込む。
【００３３】
電源回路１６は、例えば交流−直流変換をする電源であり、照明器具１の各部へ電力を供給する。
【００３４】
なお、図１の照明システムにおける複数の照明器具１は同じ仕様であってもよいし、異なる仕様の照明器具１が混在していてもよい。
【００３５】
また、制御回路１３は、プログラムを記憶するメモリとマイクロプロセッサとを内蔵するマイコンであってもよいし、アナログ回路およびデジタル回路を含むハードウェアであってもよい。
【００３６】
［１．２  無線ＩＦ装置２の構成例］
次に、無線ＩＦ装置２の構成例について説明する。
【００３７】
図３は、実施の形態に係る無線ＩＦ装置２の構成例を示す図である。同図のように、無線ＩＦ装置２は、制御部２１、記憶部２２、通信回路２３および無線回路２４を備える。
【００３８】
制御部２１は、コントローラ３と照明器具１との間で制御信号および応答信号を中継するための制御を行う。
【００３９】
記憶部２２は、通信相手を示す情報として照明器具１の実アドレスを記憶するためのメモリである。
【００４０】
通信回路２３は、コントローラ３から有線通信路を介して照明器具１に向けた制御信号を受信し、また、応答信号をコントローラ３に送信する。
【００４１】
無線回路２４は、無線通信路を介して照明器具１に制御信号を送信し、また、無線通信路を介して照明器具１から応答信号を受信する。
【００４２】
ここで、無線ＩＦ装置２における制御信号の扱い例について説明する。コントローラ３から有線通信路を介して通信回路２３に送信される制御信号には、送信先アドレスとして照明器具１の実アドレス、送信元アドレスとしてコントローラ３の実アドレスが設定されている。コントローラ３から通信回路２３が受信した制御信号は、制御部２１に通知される。制御部２１は、通信回路２３から通知された制御信号の送信先アドレスが、記憶部２２に記憶された通信相手を示す情報としての照明器具１の実アドレスに該当する場合には、制御信号を無線回路２４から無線送信する（つまり中継する）。このとき、制御部２１は、制御信号の送信元アドレスとして、無線ＩＦ装置２の実アドレスを追加、または、置き換えをする。逆に、制御部２１は、通信回路２３から通知された制御信号の送信先アドレスが、記憶部２２に記憶された通信相手を示す情報としての照明器具１の実アドレスに該当しない場合には、制御信号を無視および破棄する（つまり中継しない）。
【００４３】
言い換えれば、無線ＩＦ装置２は、コントローラ３から受信した制御信号のうち、無線ＩＦ装置２にペアリングされた照明器具１宛ての制御信号を照明器具１に中継する。
【００４４】
なお、制御部２１は、プログラムを記憶するメモリとマイクロプロセッサとを内蔵するマイコンであってもよいし、アナログ回路およびデジタル回路を含むハードウェアであってもよい。
【００４５】
［１．３  コントローラ３の構成例］
次に、コントローラ３の構成例について説明する。
【００４６】
図４は、実施の形態に係るコントローラ３の構成例を示す図である。同図のように、コントローラ３は、制御部３１、記憶部３２、通信回路３３、無線回路３４、時計回路３５を備える。これにより、コントローラ３は、照明システムに含まれる複数の照明器具１の照明動作を制御する。
【００４７】
制御部３１は、スイッチパネル４へのユーザー操作、または、記憶部３２に記憶された照明スケジュールデータおよび運用グループデータに従って制御信号を生成し、生成した制御信号を通信回路３３から有線通信路を介して無線ＩＦ装置２に送信する。
【００４８】
記憶部３２は、照明スケジュールデータ、運用グループデータを記憶する。照明スケジュールデータは、照明動作のスケジュールを定めたデータであり、時刻と照明動作を対応付けたデータである。運用グループデータは、同じ照明動作をすべき照明器具１をメンバーとする運用グループを定めたデータである。照明スケジュールデータは、運用グループ毎に定めることができる。
【００４９】
通信回路３３は、有線通信路を介して無線ＩＦ装置２に制御信号を送信し、また、有線通信路を介して無線ＩＦ装置２から応答信号を受信する。さらに、通信回路３３は、スイッチパネル４から、ユーザー操作があったことを示す信号を受信する。ユーザー操作は、例えば、いずれかのスイッチのオンまたはオフ、調光つまみの変更などである。
【００５０】
無線回路３４は、端末装置５から制御信号を受信する。この制御信号は、例えば、照明スケジュールデータ、または運用グループデータを載せた信号である。照明スケジュールデータおよび運用グループデータは、端末装置５または他の装置によってユーザー操作に従って作成される。無線回路３４が受信した制御信号に基づいて、照明スケジュールデータまたは運用グループデータが記憶部３２に書き込まれる。
【００５１】
時計回路３５は、日時を計数し、照明スケジュールデータに応じた制御をするために制御部３１に参照される。
【００５２】
なお、制御部３１は、プログラムを記憶するメモリとマイクロプロセッサとを内蔵するマイコンであってもよいし、アナログ回路およびデジタル回路を含むハードウェアであってもよい。
【００５３】
［１．４  端末装置５の構成例］
次に、端末装置５の構成例について説明する。端末装置５は、制御信号を無線送信する複数の無線ＩＦ装置２と、制御信号を受信する複数の照明器具１とを含む照明システムを対象として、照明器具１と無線ＩＦ装置２との間の通信相手を決定するペアリング方法を実行するペアリング装置である。
【００５４】
図５は、実施の形態に係る端末装置５の構成例を示す図である。同図のように、端末装置５は、ＵＩ（User Interface）部５０、プロセッサ５３、記憶部５４、無線回路５５、仮ペアリング部５６、本ペアリング部５７およびペアリング変更部５８を備える。
【００５５】
ＵＩ部５０は、表示パネル５１およびタッチパネル５２を備える。
【００５６】
プロセッサ５３は、記憶部５４に記憶された各種プログラムを実行する。
【００５７】
記憶部５４は、プロセッサ５３が実行する各種プログラムを記憶し、プロセッサ５３により参照または生成される各種データを記憶する。なお、記憶部５４は、一次メモリ、二次メモリ、補助メモリおよびキャッシュメモリを含む。
【００５８】
無線回路５５は、無線通信路を介して照明器具１、無線ＩＦ装置２またはコントローラ３を無線通信する。
【００５９】
仮ペアリング部５６は、照明システムの設計段階において、複数の照明器具１および複数の無線ＩＦ装置２の配置を示す配置マップを取得し、配置マップにおける複数の照明器具１および複数の無線ＩＦ装置２に仮アドレスを付与し、かつ、照明器具１の仮アドレスと無線ＩＦ装置２の仮アドレスとを１対多で対応付けることによって仮ペアリングデータを生成する。照明システムの設計段階では、照明器具１および無線ＩＦ装置２の現物がまだ建物に設置されておらず、また、それらの現物がまだ特定されていない、または、それらの現物がまだ存在していないことが多い。このようなケースでは、照明器具１および無線ＩＦ装置２の実アドレスが不明であり、実アドレスを用いてペアリングすることができない。仮ペアリング部５６は、実アドレスの代用として仮アドレスを用いて、設計段階における設計マップ上で仮ペアリングを行う。
【００６０】
本ペアリング部５７は、配置マップに従って複数の照明器具１および複数の無線ＩＦ装置２が設置された設置段階において、仮ペアリングデータにおける仮アドレスを実アドレスに対応付けることによって本ペアリングデータを生成する。その後、端末装置５は、複数の照明器具１および複数の無線ＩＦ装置２のそれぞれに、本ペアリングデータで対応付けられた実アドレスを通知し、通信相手の実アドレスとして記憶させる。
【００６１】
ペアリング変更部５８は、運用グループが変更されたとき、変更後の運用グループと、同一の無線ＩＦ装置にペアリングされた照明器具のグループとが一致するように、本ペアリングデータを変更する。
【００６２】
なお、仮ペアリング部５６は、プロセッサ５３が記憶部５４の仮ペアリングプログラムを実行することによって実現してもよい。この場合、図５の仮ペアリング部５６は、プロセッサ５３がプログラムを実行することにより実現した機能ブロックを表している。あるいは、仮ペアリング部５６は、マイコンを含むハードウェアにより実現してもよい。この場合、図５の仮ペアリング部５６は、ハードウェアブロックを表している。
【００６３】
また、本ペアリング部５７は、プロセッサ５３が記憶部５４の本ペアリングプログラムを実行することによって実現してもよい。この場合、図５の本ペアリング部５７は、プロセッサ５３がプログラムを実行することにより実現した機能ブロックを表している。あるいは、本ペアリング部５７は、マイコンを含むハードウェアにより実現してもよい。この場合、図５の本ペアリング部５７は、ハードウェアブロックを表している。
【００６４】
さらに、ペアリング変更部５８は、プロセッサ５３が記憶部５４のペアリング変更プログラムを実行することによって実現してもよい。この場合、図５のペアリング変更部５８は、プロセッサ５３がプログラムを実行することにより実現した機能ブロックを表している。あるいは、ペアリング変更部５８は、マイコンを含むハードウェアにより実現してもよい。この場合、図５のペアリング変更部５８は、ハードウェアブロックを表している。
【００６５】
なお、図５の端末装置５はタブレット型端末装置をベースに構成される例を示したが、ノートパソコン、デスクトップパソコン、スマートフォンをベースに構成してもよい。
【００６６】
［１．５  記憶部５４の記憶内容の例］
次に、端末装置５が実行するペアリング方法に関して、記憶部５４に記憶される各種プログラムの例および各種データの例について説明する。
【００６７】
図６は、実施の形態に係る端末装置５における記憶部５４の記憶内容の例を示す図である。同図示す記憶部５４は、プロセッサ５３により実行される各種プログラムとして、設計プログラム６１、仮ペアリングプログラム６２、本ペアリングプログラム６３、グループ化プログラム６４、ペアリング変更プログラム６５等を記憶する。また、記憶部５４は、プロセッサ５３により参照または生成される各種データとして、設計データ６６、仮ペアリングデータ６７、本ペアリングデータ６８、運用グループデータ６９、実アドレスリスト７０等を記憶する。
【００６８】
設計プログラム６１は、対象となる建物に照明システムをどのように配置するかを設計するためのプログラムであり、主に複数の照明器具１、複数の無線ＩＦ装置２の配置を設計するためのプログラムである。設計プログラム６１は、例えば、複数の照明器具１を配置したときの照度分布を求める計算プログラムを含み、照度分布を適正にする配置を容易にする。設計プログラム６１を実行した成果物として、設計データ６６が生成される。設計データ６６は、対象となる建物における、複数の照明器具１および複数の無線ＩＦ装置２の配置を示す配置マップを含む。なお、配置マップは、照明システムの対象となる建物の構造、例えば床、天井、柱、壁の形状および位置を示すデータを含んでいてもよい。
【００６９】
仮ペアリングプログラム６２は、設計データ６６中の配置マップにおける複数の照明器具１および前記複数の無線ＩＦ装置２に仮アドレスを付与し、かつ、照明器具１の仮アドレスと無線ＩＦ装置２の仮アドレスとを１対多で対応付けることによって仮ペアリングデータ６７を生成するためのプログラムである。
【００７０】
本ペアリングプログラム６３は、配置マップに従って複数の照明器具１および複数の無線ＩＦ装置２が設置された設置段階において、仮ペアリングデータにおける仮アドレスを実アドレスに対応付けることによって本ペアリングデータ６８を生成するためのプログラムである。
【００７１】
グループ化プログラム６４は、複数の照明器具１を、共通の照明動作をさせる照明器具１をメンバーとする運用グループに分割し、運用グループデータ６９を生成するためのプログラムである。
【００７２】
ペアリング変更プログラム６５は、運用グループが変更されたとき、変更後の運用グループと、同一の無線ＩＦ装置にペアリングされた照明器具のグループとが一致するように、本ペアリングデータを変更するためのプログラムである。
【００７３】
実アドレスリスト７０は、照明システムに含まれる複数の照明器具１および複数の無線ＩＦ装置２の実アドレス一覧を示すデータである。実アドレスリスト７０は、照明システムの複数の照明器具１および複数の無線ＩＦ装置２の現物が建物に設置された直後に、端末装置５が実アドレスを問い合わせる制御信号を例えばブロードキャスト送信し、その応答を受信することにより生成される。
【００７４】
［２  照明システムの構築と端末装置５が実行するペアリング方法］
次に、上記の照明システムを構築する流れ、および、端末装置５が実行するペアリング方法について説明する。
【００７５】
図７は、実施の形態に係る照明システムの設計段階から運用段階までの流れと、端末装置５によるペアリング方法の一例とを含むフローチャートである。同図は、対象となる建物に照明システムを構築するための、設計段階から運用段階までの流れを示す。同図は、端末装置５またはその他の装置を用いる工程と、人手による工程とを含む。同図のように、照明システムは、設計段階（Ｓ１）、設置段階（Ｓ２〜Ｓ３）、運用段階（Ｓ５〜Ｓ７）の過程を経る。また、端末装置５による実行されるペアリング方法は、図７における仮ペアリング処理（Ｓ１ｂ）と本ペアリング処理（Ｓ３ｂ）とを含む。
【００７６】
ステップＳ１（照明システムの設計）では、設計データを作成し（Ｓ１ａ）、仮ペアリング処理を行う（Ｓ１ｂ）。
【００７７】
より詳しく説明すると、ステップＳ１ａ（設計データの作成）は、端末装置５が設計プログラム６１を実行することによって行われる。すなわち、端末装置５は、ユーザー操作に従って、照明システムを構築する対象となる建物（家屋、ビルの１以上のフロア、店舗、工場など）に対して、複数の照明器具１、複数の無線ＩＦ装置２の配置を設計し、配置マップを含む設計データを作成する。
【００７８】
さらに、ステップＳ１ｂ（仮ペアリング処理）では、端末装置５が仮ペアリングプログラム６２を実行することによって行われる。すなわち、端末装置５は、ユーザー操作に従って、配置マップ上で複数の照明器具１および前記複数の無線ＩＦ装置２に仮アドレスを付与し、かつ、照明器具１の仮アドレスと無線ＩＦ装置２の仮アドレスとを１対多で対応付けることによって仮ペアリングデータ６７を生成する。仮ペアリング処理は、複数の照明器具１および複数の無線ＩＦ装置２の現物がなくても（つまり実アドレスが不明であっても）実行できるので、後の本ペアリング処理に要する作業時間および手間を大きく低減することができる。
【００７９】
照明システムの設置段階では、設置工事をし（Ｓ２）、設置の初期設定をし（Ｓ３）、設置の運用設定をする（Ｓ４）。
【００８０】
より詳しく説明すると、ステップＳ２（設置工事）では、対象となる建物に、複数の照明器具１および複数の無線ＩＦ装置２の現物を設置する。この段階で、複数の照明器具１および複数の無線ＩＦ装置２の現物が存在するので、複数の照明器具１および複数の無線ＩＦ装置２の実アドレスも確定的に存在する。
【００８１】
次のステップＳ３（設置の初期設定）では、端末装置５が配置マップを含む設計データ６６および仮ペアリングデータ６７とを取得し（Ｓ３ａ）、端末装置５が本ペアリングプログラム６３を実行することによって本ペアリング処理を行い（Ｓ３ｂ）、複数の照明器具１および複数の無線ＩＦ装置２のそれぞれに端末装置５から通信相手の実アドレスを通知して記憶させる（Ｓ３ｃ）。これにより、ペアリングされた相手と通信可能になる。
【００８２】
より詳しく説明すると、ステップＳ３ａ（初期設定）では、ステップＳ１に用いられた端末装置５と、ステップＳ３に用いられる端末装置５とが異なる場合に、設置の初期設定として必要なデータ（つまり設計データ６６および仮ペアリングデータ６７）をダウンロードする。もし、ステップＳ１に用いられた端末装置５と、ステップＳ３に用いられる端末装置５とが同一である場合は、ステップＳ３ａは省略してよい。
【００８３】
次のステップＳ３ｂ（本ペアリング処理）では、仮ペアリングデータ６７における仮アドレスを実アドレスに対応付けることによって本ペアリングデータ６８を生成する。複数の照明器具１および複数の無線ＩＦ装置２のそれぞれの実アドレスは、例えば、端末装置５が実アドレスを問い合わせる制御信号をブロードキャストで無線送信し、その応答を受信することにより取得される。本ペアリング処理では、照明器具１と無線ＩＦ装置２とを対応付ける処理は不要であり、仮アドレスを実アドレスに対応付ける、あるいは、置き換える処理を行うだけでよい。これにより、設置段階においてペアリング（本ペアリング処理）にかかる時間および手間を軽減することができる。
【００８４】
さらにステップＳ３ｃ（実アドレスの通知）では、複数の照明器具１および複数の無線ＩＦ装置２のそれぞれに本ペアリングデータ６８で対応付けられた実アドレスを通知し、通信相手の実アドレスとして記憶させる。
【００８５】
また、照明システムの運用段階では、設置の運用設定（Ｓ４）と、運用（Ｓ５）と、運用グループが変更されたとき（Ｓ６でｙｅｓ）のペアリング変更処理（Ｓ７）とを行う。
【００８６】
より詳しく説明すると、ステップＳ４（設置の運用設定）では、運用グループの設定、照明スケジュールデータの設定、スイッチパネル４と運用グループとの対応付け等がなされる。運用設定までの工程は、主として設置業者が行う。運用設定完了後に設置業者から、対象となる建物の所有者等の照明システムのユーザ（運用者）に照明システムの引き渡しがなされる。これによって、照明システムは、照明システムのユーザ（運用斜）によって運用可能な状態になる。
【００８７】
次のステップＳ５（運用）では、コントローラ３が運用グループデータおよび照明スケジュールデータに従って照明動作を制御することによって、照明システムの日々の運用がなされる。また、ユーザーがスイッチパネル４を操作することによって、照明システムの日々の運用がなされる。
【００８８】
また、ステップＳ６（運用グループの変更有無の判定）では、共通の照明動作をさせる照明器具１をメンバーとする運用グループに変更があったか否か、つまりメンバーとしての照明器具１の追加または削除があったか否かを判定する。例えば、運用後に照明システムを構築した店舗で売り場のレイアウト変更があった場合などに、運用グループも変更することがある。運用グループの変更があった場合は、変更後の運用グループと、同一の無線ＩＦ装置２にペアリングされた照明器具１のグループとに不一致が生じることになる。
【００８９】
この不一致を解消するためにステップＳ７（ペアリング変更処理）では、変更後の運用グループと、同一の無線ＩＦ装置にペアリングされた照明器具のグループとが一致するように、本ペアリングデータを変更する。これにより上記の不一致が解消される。その結果、変更後の運用グループに属する照明器具１における照明動作の同時性を担保することができる。言い換えれば、変更後の運用グループにおける一部の照明器具１の照明動作（点灯、消灯など）に遅延が発生することを抑制することができる。
【００９０】
なお、ステップＳ６では、運用グループに変更があったか否かを判定する代わりに、同一の無線ＩＦ装置２にペアリングされた照明器具１のグループと運用グループとに不一致が生じているか否かを判定してもよい。
【００９１】
［２．１  ペアリング方法の詳細例］
続いて、端末装置５が実行するペアリング方法の詳細例について、フローチャート図および各種データ例の図を用いて説明する。
【００９２】
端末装置５による実行されるペアリング方法は、図７に示した仮ペアリング処理と本ペアリング処理とを含む。
【００９３】
［２．２  仮ペアリング処理の詳細例］
まず、図８に示す仮ペアリング処理の処理例について説明する。仮ペアリング処理について、図８は、図７のステップＳ１ｂ（仮ペアリング処理）のより詳細な処理例を示すフローチャートである。図９は、図８のステップＳ１ｂ３（仮アドレス対応付け）のより詳細な処理例を示すフローチャートである。
【００９４】
図８に示すように、端末装置５は、複数の照明器具１および複数の無線ＩＦ装置２の配置を示す配置マップを含む設計データ６６を取得する（Ｓ１ｂ１）。図１２は、実施の形態に係る端末装置５の記憶部５４に記憶された設計データ６６の一例を示す図である。同図の設計データ６６は、複数の照明器具１毎に、型番、座標、寸法、および照度等を示すデータを含む。端末装置５は、型番によって照明器具１の仕様（寸法、照度等）を特定する。座標は、照明器具１の配置位置を示し、例えば建物の天井をＸ−Ｙ平面とし、天井と垂直な方向をＺ軸方向とする。設計データ６６は、配置マップを示すデータでもある。なお、設計データ６６には、複数の無線ＩＦ装置２およびコントローラ３およびスイッチパネル４それぞれの型番、座標、寸法等を示すデータも含む。
【００９５】
次に、端末装置５は、配置マップを表示パネル５１に表示する（Ｓ１ｂ２）。端末装置５は、例えば、設計データ６６に従って配置マップを表示パネル５１に描画する。あるいは、端末装置５は、設計データ６６から予め作成された配置マップデータに従って、配置マップを表示パネル５１に描画する。図１３は、実施の形態に係る端末装置５のＵＩ部５０における配置マップの表示例を示す図である。同図では、ＵＩ部５０の表示パネル５１の上側約４／５の表示領域に、照明器具１を表す３２個のアイコンと、無線ＩＦ装置２を表す２個のアイコンとが表示されている。端末装置５は、このような配置マップを表示し、照明器具１のアイコン、および無線ＩＦ装置２のアイコンに対する各種ユーザー操作を受け付け可能にする。
【００９６】
さらに、端末装置５は、配置マップにおける複数の照明器具１および複数の無線ＩＦ装置２に仮アドレスを付与し、かつ、照明器具１の仮アドレスと無線ＩＦ装置２の仮アドレスとを１対多で対応付けることによって仮ペアリングデータを生成する（Ｓ１ｂ３）。
【００９７】
仮アドレスの付与および対応付けにおいて、端末装置５は、（１）配置マップへのユーザー操作を受けて主に手動で仮ペアリング処理を行ってもよいし、（２）端末装置５が主に自動的に仮ペアリング処理を行ってもよい。端末装置５またはユーザーは、仮ペアリング処理として、例えば、配置マップ上の照明器具１の台数が少ない場合は前者（１）を選択し、多い場合は後者（２）を選択してもよい。
【００９８】
図１４は、図１３の配置マップ上で仮アドレスが付与されたときの配置マップの表示例を示す図である。図１４では、照明器具１のアイコンおよび無線ＩＦ装置２のアイコンの左上に表示された四角枠の文字Ａおよび文字Ｂは、付与された仮アドレスを示す。図１４では、複数の照明器具１に同じ仮アドレスが付与されている。仮アドレスは、照明器具１および無線ＩＦ装置２を個別に識別する必要がなく、ペアリングされる通信相手を識別できればよく、一時的に付与される仮の名称でもよい。特に、図１４では、同一の無線ＩＦ装置２に対応付ける複数の照明器具１には、同じ仮アドレスが付与されている。また、ペアリングされて対応付けられる照明器具１と無線ＩＦ装置２とに同じ仮アドレスが付与されている。言い換えれば、図１４の左側１６個の照明器具１のアイコンと左側の無線ＩＦ装置２のアイコンには、同じ仮アドレスＡが付与されている。つまり、左側１６個の照明器具１は、通信相手として左側の無線ＩＦ装置２に対応付けられている。また、図１４の右側１６個の照明器具１アイコンと右側の無線ＩＦ装置２アイコンには、同じ仮アドレスＢが付与されている。つまり、右側１６個の照明器具１は、通信相手として右側の無線ＩＦ装置２に対応付けられている。
【００９９】
続いて、上記（２）つまり端末装置５が主に自動的に仮ペアリング処理を行う処理例について、図９を用いて説明する。図９において、端末装置５は、まず所定値を決定する（Ｓ１０）。所定値は、無線ＩＦ装置２による無線通信可能な範囲内の距離を示し、例えば、定数または配置マップ上の２つの無線ＩＦ装置２間の距離の半分である。この所定値は、無線ＩＦ装置２毎に個別に定めてもよい。
【０１００】
さらに、端末装置５は、配置マップ上の各無線ＩＦ装置２と各照明器具１との距離を算出し（Ｓ１１）、無線ＩＦ装置２毎の繰り返し処理であるループ１（Ｓ１２〜Ｓ１６）の処理を実行する。
【０１０１】
ループ１では、端末装置５は無線ＩＦ装置２との距離が所定値以下の照明器具１を判別し（Ｓ１３）、判別した照明器具１および無線ＩＦ装置２に仮アドレスを付与し、かつ、判別した照明器具１と無線ＩＦ装置２とを対応付ける（Ｓ１４）。例えば、図１３における破線枠ｒ１は、左側の無線ＩＦ装置２を中心に所定値を半径とする円を示す。破線枠ｒ１内の照明器具１は、左側の無線ＩＦ装置２に対応付けられる。また、図１３における破線枠ｒ２は、右側の無線ＩＦ装置２を中心に所定値を半径とする円を示す。破線枠ｒ２内の照明器具１は、右側の無線ＩＦ装置２に対応付けられる。
【０１０２】
さらに、端末装置５は、配置マップ上に仮アドレスおよび対応付けを表示する（Ｓ１５）。
【０１０３】
ステップＳ１４では、複数の照明器具１および複数の無線ＩＦ装置２に個別の仮アドレスを付与してもよいし、図９右側のステップＳ１４ａ〜Ｓ１４ｃのように同じ仮アドレスを付与してもよい。
【０１０４】
次に、後者（同じ仮アドレスを付与する場合）について説明する。端末装置５は、ステップ１３で判別した複数の照明器具１、つまり、同一の無線ＩＦ装置２に対応付ける複数の照明器具１に同じ仮アドレスを付与し（Ｓ１４ａ）、さらに、当該照明器具１と当該無線ＩＦ装置２とに同じ仮アドレスを付与することにより、当該照明器具１と当該無線ＩＦ装置２とを対応付ける（Ｓ１４ｂ）ことにより仮ペアリングデータ６７を生成する。
【０１０５】
さらに、端末装置５は、複数の照明器具１を運用グループに分割し、運用グループのメンバーに同じ仮アドレスを付与する（Ｓ１４ｃ）。ステップ１４ｃでは、同一の無線ＩＦ装置にペアリングされた照明器具のグループと運用グループとが一致するように、運用グループを決定する。
これにより、ステップＳ１５では例えば図１４と同じ結果が得られる。
【０１０６】
無線ＩＦ装置２毎のループ１の処理完了後、端末装置５は、２つ以上の無線ＩＦ装置２に重複して対応付けられた照明器具１の台数Ｎ１を検出し、台数Ｎ１がしきい値ｔｈ１より大きいかどうかを判定し（Ｓ１７）、台数Ｎ１がしきい値ｔｈ１より大きいと判定された場合は、所定値を変更し（Ｓ１９）、再度ループ１を実行する。
【０１０７】
端末装置５は、台数Ｎ１がしきい値ｔｈ１より大きくない判定された場合は、さらに、無線ＩＦ装置２に対応付けられていない照明器具１の台数Ｎ２を検出し、台数Ｎ２がしきい値ｔｈ２より大きいかどうかを判定し（Ｓ１８）、台数Ｎ２がしきい値ｔｈ２より大きいと判定された場合は、所定値を変更し（Ｓ１９）、再度ループ１を実行する。
【０１０８】
なお、しきい値ｔｈ１は、例えば、複数の照明器具１の全台数に対する割合（例えば１％、３％、５％、・・・等）として定めればよい。しきい値ｔｈ２についても同様に定めればよい。また、しきい値ｔｈ１としきい値ｔｈ２とは同じ値であっても異なる値であってもよい。
【０１０９】
さらに、端末装置５は、ステップＳ１８で台数Ｎ２がしきい値ｔｈ２より大きくないと判定された場合は、配置マップにおいて、無線ＩＦ装置２と照明器具１との間に電波伝搬の障害となり得る物があれば警告を表示する（Ｓ２０）。例えば、端末装置５は、無線ＩＦ装置２と照明器具１とを結ぶ直線上に柱、壁、天井、床等があれば、電波伝搬の障害となり得る物と判断し、警告を表示する。その後、端末装置５は、ユーザー操作に従って仮アドレスの付与、対応付けで不備な点があれば、修正をする（Ｓ２１）。
【０１１０】
次に、図１４に対応する仮ペアリングデータ６７の例について説明する。ここでは、仮ペアリングデータ６７は、照明器具１の仮ペアリングデータ６７ａと無線ＩＦ装置２の仮ペアリングデータ６７ｂとを含むものとする。
【０１１１】
図１５は、実施の形態に係るペアリング方法で生成された、照明器具１の仮ペアリングデータ６７ａの一例を示す図である。同図の仮ペアリングデータ６７ａは、照明器具１毎に、照明器具１の位置を示す座標、当該照明器具１の仮アドレス、通信相手となる無線ＩＦ装置２の仮アドレスを示す。
【０１１２】
図１６は、実施の形態に係るペアリング方法で生成された、無線ＩＦ装置２の仮ペアリングデータ６７ｂの一例を示す図である。同図の仮ペアリングデータ６７ｂは、無線ＩＦ装置２毎に、無線ＩＦ装置２の位置を示す座標、当該無線ＩＦ装置２の仮アドレス、通信相手となる照明器具１の仮アドレスを示す。
【０１１３】
［２．３  本ペアリング処理の詳細例］
次に、本ペアリング処理の処理例について詳細に説明する。図１０は、図７のステップＳ３ｂ（本ペアリング処理）のより詳細な処理例を示すフローチャートである。
【０１１４】
図１０に示すように、端末装置５は、ステップ３ａの後、照明システムに含まれる全ての照明器具１および全ての無線ＩＦ装置２から実アドレスを収集し（図３ｂ１）、実アドレスリスト７０を生成する。例えば、端末装置５は、照明システムの複数の照明器具１および複数の無線ＩＦ装置２の現物が建物に設置された後に、実アドレスを問い合わせる制御信号を例えば無線によりブロードキャスト送信し、その応答を受信することにより実アドレスを収集する。
【０１１５】
さらに、端末装置５は、ＵＩ部５０に仮アドレスを対応付けた配置マップを表示し（Ｓ３ｂ２）、収集した実アドレス一覧を表示する（Ｓ３ｂ３）。図１７は、図１４の表示例に対応し、収集された実アドレス一覧の表示例を示す図である。図１７では、ＵＩ部５０の表示領域の下側１／５程の表示枠内の表示領域ｄ０に、実アドレス一覧が横スクロール表示可能に表示されている。図中のＰ１、Ｐ２、・・・は実アドレスを示し、四角枠付きのＰ１、Ｐ２、・・・は、実アドレスを示すアイコンである。
【０１１６】
次に、端末装置５は、ユーザー操作に従って、配置マップ上で照明器具および無線ＩＦ装置のそれぞれに実アドレスに対応付ける（Ｓ３ｂ４）。
【０１１７】
この対応付けは図１０のループ１の処理によって行ってもよい。ループ１の処理を図１８および図１９を用いて説明する。図１８は、図１７の表示において、実アドレスアイコンの１つを選択するタップ操作を示す図である。図１８では、Ｐ３という実アドレスのアイコンが選択されている。端末装置５は、実アドレスのアイコンが選択されたとき、当該実アドレス宛ての制御信号であって、例えば点滅を指示する制御信号を無線送信する（Ｓ３０１）。例えば、端末装置５は、点灯を指示する制御信号と消灯を指示する制御信号とを当該実アドレス宛に繰り返し送信してもよい。これにより、Ｐ３という実アドレスを有する照明器具１が点滅動作をする。ユーザーは、設置された複数の照明器具１の現物のうち、点滅動作をしている照明器具１の設置位置を目視により確認し、配置マップ上で実アドレスＰ３を持つ照明器具１アイコンを容易に特定することができる。さらに、端末装置５は、選択された実アドレスを、ユーザー操作により特定された照明器具１に対応付ける（Ｓ３０２）。図１９は、図１８において、選択された実アドレスアイコンを照明器具１アイコンに対応付けるために、ユーザーがドラッグ・アンド・ドロップする操作を示す図である。図１９では、配置マップ上の左から３番目の最も上の照明器具１アイコンが、ステップ３０１によって点滅した照明器具１の現物に対応している。図１９では、ユーザーが選択された実アドレスＰ３のアイコンを照明器具１アイコンにドラッグ・アンド・ドロップすることにより、端末装置５は、配置マップ上の左から３番目の最も上の照明器具１に実アドレスＰ３を対応付ける。図１９では、照明器具１アイコンの右上に、対応付けられて実アドレスＰ３のアイコンが追加表示されている。
【０１１８】
ステップＳ３ｂ４によって、配置マップ上のすべての照明器具１および無線ＩＦ装置２に実アドレスが対応付けられる。図２０は、図１９において、照明器具（アイコン）に実アドレス（アイコン）を対応付けた図である。全ての照明器具１アイコンおよび無線ＩＦ装置２アイコンの右上に、対応する実アドレスアイコンが追加表示されている。
【０１１９】
ステップＳ３ｂ４完了後、端末装置５は、仮ペアリングデータ６７から本ペアリングデータ６８を生成する（Ｓ３ｂ５）。
【０１２０】
次に、図２０に対応する本ペアリングデータ６８の例について説明する。ここでは、本ペアリングデータ６８は、照明器具１の本ペアリングデータ６８ａと無線ＩＦ装置２の本ペアリングデータ６８ｂとを含むものとする。
【０１２１】
図２１は、実施の形態に係るペアリング方法で生成された、照明器具１の本ペアリングデータ６８ａの一例を示す図である。同図の本ペアリングデータ６８ａは、照明器具１毎に、照明器具１の位置を示す座標、当該照明器具１の仮アドレス、当該照明器具１の実アドレス、通信相手となる無線ＩＦ装置２の仮アドレス、通信相手となる無線ＩＦ装置２の実アドレスを示す。なお、照明器具１の本ペアリングデータ６８ａは、当該照明器具１の仮アドレスを含まなくてもよく、また、通信相手となる無線ＩＦ装置２の仮アドレスを含まなくてもよい。
【０１２２】
図２２は、実施の形態に係るペアリング方法で生成された、無線ＩＦ装置２の本ペアリングデータ６８ｂの一例を示す図である。同図の本ペアリングデータ６８ｂは、無線ＩＦ装置２毎に、無線ＩＦ装置２の位置を示す座標、当該無線ＩＦ装置２の仮アドレス、当該無線ＩＦ装置２の実アドレス、通信相手となる照明器具１の仮アドレス、通信相手となる照明器具１の実アドレスを示す。なお、無線ＩＦ装置２の本ペアリングデータ６８ｂは、当該無線ＩＦ装置２の仮アドレスを含まなくてもよく、また、通信相手となる照明器具１の仮アドレスを含まなくてもよい。
【０１２３】
本ペアリング処理の後、図７のステップＳ３ｃで既に説明したように、端末装置５は、複数の照明器具１および複数の無線ＩＦ装置２のそれぞれに本ペアリングデータ６８で対応付けられた実アドレスを通知し、通信相手の実アドレスとして記憶させる。
【０１２４】
上記の本ペアリング処理では、照明器具１と無線ＩＦ装置２とを対応付ける処理は不要であり、仮アドレスを実アドレスに対応付ける、あるいは、置き換える処理を行うだけでよい。これにより、設置段階においてペアリング（本ペアリング処理）にかかる時間および手間を軽減することができる。
【０１２５】
［２．４  ペアリング変更処理の詳細例］
続いて、ペアリング変更処理の具体例について詳細に説明する。
【０１２６】
図２３は、運用グループの一例を示す図である。同図の破線枠は、運用グループＧ１、Ｇ２を示す。図２３の運用グループＧ１は、図２０のように左側の無線ＩＦ装置２にペアリングされた照明器具１をメンバーとするペアリンググループに一致している。また、図２３の運用グループＧ２は、図２０のように右側の無線ＩＦ装置２にペアリングされた照明器具１をメンバーとするペアリンググループに一致している。
【０１２７】
それゆえ、同じ運用グループに属する照明器具１が受信する制御信号は、同じ無線ＩＦ装置２から無線送信される。同じ運用グループに属する異なる照明器具１に無線送信される制御信号間では時間差が発生するが、運用グループとペアリンググループとが一致している場合には大きな時間差にはならない。その結果、コントローラ３から照明動作を変更する制御信号が送信されたとき、同じ運用グループに属する照明器具１の間で、制御信号に時間差があるけれども、照明動作の変更は人の目にはほぼ同時に見える。
【０１２８】
図２４は、図２３の運用グループを示す運用グループデータ６９の一例を示す図である。図２４の運用グループデータ６９は、グループ毎に、当該グループを構成するメンバーの照明器具１の実アドレスと、当該グループに対応するスイッチ番号とを含む。なお、運用グループにスイッチ操作を対応させない場合は、運用グループデータ６９はスイッチ番号を含まなくてもよい。
【０１２９】
次に、運用グループの変更例について説明する。
【０１３０】
図２５は、図２３の運用グループの変更例を示す図である。図２６は、図２５に対応する変更後の運用グループデータ６９ｃの一例を示す図である。図２５中の破線枠は、変更後の運用グループＧ１ａ、Ｇ２ａを示す。変更後の運用グループＧ２ａは、図２３の運用グループＧ２から４台の照明器具１が削除されている。変更後の運用グループＧ１ａは、削除された当該４台の照明器具１が運用グループＧ１に追加されている。変更後の運用グループＧ１ａは、図２０のように左側の無線ＩＦ装置２にペアリングされた照明器具１をメンバーとするペアリンググループに一致していない。また、変更後の運用グループＧ２ａも、図２０のように右側の無線ＩＦ装置２にペアリングされた照明器具１をメンバーとするペアリンググループに一致していない。
【０１３１】
それゆえ、変更後の運用グループＧ１ａに属する照明器具１のうち、運用グループＧ１に属していた照明器具１は左側の無線ＩＦ装置２から無線送信される制御信号を受信し、運用グループＧ２に属していた４台の照明器具１は右側の無線ＩＦ装置２から無線送信される制御信号を受信することなる。例えば、コントローラ３が変更後の運用グループＧ１ａに属する照明器具１を同時に点灯、消灯、調光または調色の照明動作を同時に行う場合に、運用グループＧ１に属していた照明器具１の照明動作と、運用グループＧ２に属していた４台の照明器具１の照明動作とで、人に知覚されるほどの大きな時間差が生じることがある。これは、コントローラ３から左側の無線ＩＦ装置２を介して照明器具１に無線送信される制御信号と、右側の無線ＩＦ装置２を介して照明器具１に無線送信される制御信号とに人に知覚されるほどの大きな時間差が生じることがあるからである。
【０１３２】
一方、変更後の運用グループＧ２ａは、右側の無線ＩＦ装置２にペアリングされた照明器具１をメンバーとするペアリンググループに一致していないが、当該ペアリンググループに含まれるサブセットになっている。それゆえ、変更後の運用グループＧ２ａ内の照明器具１は、いずれも右側の無線ＩＦ装置２から無線送信される制御信号を受信し、大きな時間差は生じない。
【０１３３】
上記のように変更後の運用グループＧ１ａに属する照明器具１は、照明動作に人の目に知覚される程度の時間差が生じることがあるという問題がある。端末装置５は、この問題を解決するために、ペアリング変更処理を行う。
【０１３４】
図１１は、図７のステップＳ７（ペアリング変更処理）のより詳細な処理例を示すフローチャートである。図１１のように、端末装置５は、変更後の運用グループデータ６９を取得し（Ｓ７１）、本ペアリングデータ６８を取得する（Ｓ７２）。なお、端末装置５が、運用グループデータ６９の変更を行い、既に、運用グループデータ６９および本ペアリングデータ６８を記憶している場合は、ステップＳ７１およびＳ７２を省略してもよい。
【０１３５】
さらに端末装置５は、取得した運用グループと、本ペアリングデータ６８が示すペアリンググループとが一致するように、本ペアリングデータ６８を変更し（Ｓ７３）、変更後の本ペアリングデータ６８に従って、複数の照明器具１および複数の無線ＩＦ装置２のそれぞれに通信相手の実アドレスを通知し記憶させる（Ｓ７４）。ステップＳ７４では、ペアリングの変更があった照明器具１と無線ＩＦ装置２のみに通知してもよい。
【０１３６】
変更された本ペアリングデータの例を図２７および図２８に示す。図２７は、図２５の運用グループＧ１ａ、Ｇ２ａに対応する照明器具１の本ペアリングデータ６８ａの一例を示す図である。図２８は、図２５の運用グループＧ１ａ、Ｇ２ａに対応する無線ＩＦ装置２の本ペアリングデータ６８ｂの一例を示す図である。図２７および図２８の本ペアリングデータが示すペアリンググループは、変更後の運用グループＧ１ａ、Ｇ２ａに一致する。これにより、運用グループ内の照明器具１間の照明動作に大きな時間差を生じさせない。
【０１３７】
以上のように実施の形態に係るペアリング方法は、制御信号を無線送信する複数の無線ＩＦ装置２と、制御信号を受信する複数の照明器具１とを含む照明システムを対象として、照明器具１と無線ＩＦ装置２との間の通信相手を決定するペアリング方法であって、複数の照明器具１および複数の無線ＩＦ装置２の配置を示す配置マップを取得し、配置マップにおける複数の照明器具１および複数の無線ＩＦ装置２に仮アドレスを付与し、かつ、照明器具１の仮アドレスと無線ＩＦ装置２の仮アドレスとを１対多で対応付けることによって仮ペアリングデータを生成し、配置マップに従って複数の照明器具１および複数の無線ＩＦ装置２が設置された設置段階において、仮ペアリングデータにおける仮アドレスを実アドレスに対応付けることによって本ペアリングデータを生成し、複数の照明器具１および複数の無線ＩＦ装置２のそれぞれに、本ペアリングデータで対応付けられた実アドレスを通知し、通信相手の実アドレスとして記憶させる。
【０１３８】
これによれば、ペアリングにかかる時間および手間を軽減することができる。
【０１３９】
ここで、仮ペアリングデータの生成において、配置マップ上での、無線ＩＦ装置２と照明器具１との距離を算出し、算出した距離が所定値より小さい照明器具１の判別を行い、判別した照明器具１と当該無線ＩＦ装置２とを対応付けてもよい。
【０１４０】
これによれば、照明器具１が多数である場合であっても、仮ペアリングデータの生成において、照明器具１と無線ＩＦ装置２との対応付けにかかる時間および手間を軽減することができる。
【０１４１】
ここで、仮ペアリングデータの生成において、さらに、２つ以上の無線ＩＦ装置２に重複して対応付けられた照明器具１の台数Ｎ１がしきい値ｔｈ１より大きいかかどうかを判定し、しきい値ｔｈ１よりも大きいと判定された場合は、所定値を変更し、再度、判別および対応付けをしてもよい。
【０１４２】
これによれば、２つ以上の無線ＩＦ装置２に重複して対応付けられた照明器具１の台数Ｎ１を自動的にしきい値ｔｈ１以下に減らすことができ、対応付けにかかる時間および手間をより軽減することができる。
【０１４３】
これによれば、照明器具１と無線ＩＦ装置２との対応付けにおいて、時間および手間を軽減することができる。
【０１４４】
ここで、仮ペアリングデータの生成において、さらに、無線ＩＦ装置２に対応付けられていない照明器具１の台数Ｎ２がしきい値ｔｈ２より大きいかどうかを判定し、しきい値ｔｈ２より大きいと判定された場合は、所定値を変更し、再度、判別および対応付けをしてもよい。
【０１４５】
これによれば、対応付けられていない照明器具１の台数Ｎ２を自動的にしきい値ｔｈ２以下に減らすことができ、対応付けにかかる時間および手間をより軽減することができる。
【０１４６】
ここで、仮ペアリングデータの生成において、さらに、対応付けられた照明器具１と無線ＩＦ装置２との間に、配置マップにおいて電波伝搬の障害物が存在するかどうかを判定し、障害物が存在すると判定した場合に、ユーザーにその旨を警告してもよい。
【０１４７】
これによれば、障害物によって無線通信が困難な照明器具１と無線ＩＦ装置２とのペアリングを、警告によって回避可能にする。また、障害物は、照明システム設置対象の建物が完成していなくても、配置マップから容易に判定することができる。
【０１４８】
ここで、仮ペアリングデータの生成において、配置マップ上の建物の柱および建物の壁の少なくとも１つを障害物と判定してもよい。
【０１４９】
これによれば、配置マップ上で障害物を容易に判定することできる。
【０１５０】
ここで、仮ペアリングデータの生成において、配置マップを表示し、表示された配置マップ上でユーザ操作に従って照明器具１と無線ＩＦ装置２とを対応付けをしてもよい。
【０１５１】
これによれば、主に手動的に、つまり、対応付けを指示するユーザ操作を受け付けることによって、仮ペアリングデータを生成することができる。
【０１５２】
ここで、仮ペアリングデータの生成において、照明器具１と無線ＩＦ装置２とに同じ仮アドレスを付与することによって対応付けをするとしてもよい。
【０１５３】
これによれば、主に自動的に、つまり、ペアリング方法を実行する端末装置５によって対応付けすることができる。
【０１５４】
ここで、仮ペアリングデータの生成において、同一の無線ＩＦ装置２に対応付ける複数の照明器具１に同じ仮アドレスを付与してもよい。
【０１５５】
これによれば、上記対応付けによる仮ペアリングデータの生成に要する処理時間を、短縮することができる。また、配置マップに仮アドレスを表示すれば、ユーザによる仮アドレスおよび対応付けの視認性が向上するので、ユーザの誤操作を生じにくくすることができる。
【０１５６】
ここで、仮ペアリングデータの生成において、同一の無線ＩＦ装置２に対応付けられた複数の照明器具１を、共通の照明動作をさせる運用グループと決定してもよい。
【０１５７】
これによれば、上記対応付けによる仮ペアリングデータの生成に要する処理時間を、短縮することができる。また、配置マップに仮アドレスを表示すれば、ユーザによる仮アドレスおよび対応付けの視認性が向上するので、ユーザの誤操作を生じにくくすることができる。
【０１５８】
ここで、仮ペアリングデータの生成において、複数の照明器具１を、共通の照明動作をさせる運用グループに分割し、１つの運用グループに属する照明器具１に同一の無線ＩＦ装置２を対応付けてもよい。
【０１５９】
これによれば、同一の無線ＩＦ装置２に対応付けられた照明器具１をメンバーとするグループ（つまりペアリンググループ）と、運用グループとを一致させることができる。その結果、運用段階において、運用グループ内の照明器具１間で照明動作（例えば点灯、消灯など）に大きな時間差を生じにくくすることができる。
【０１６０】
ここで、前記本ペアリングデータの生成の後に運用グループが変更されたかどうかを判定し、運用グループが変更されたとき、運用グループと、同一の無線ＩＦ装置２にペアリングされた照明器具１のグループとが一致するように、本ペアリングデータを変更してもよい。
【０１６１】
これによれば、運用グループのメンバーに変更があった場合でも、運用グループ内の照明器具１間で照明動作（例えば点灯、消灯など）に大きな時間差を生じにくくすることができる。
【０１６２】
また、実施の形態に係るペアリング装置は、制御信号を無線送信する複数の無線ＩＦ装置２と、制御信号を受信する複数の照明器具１とを含む照明システムを対象として、照明器具１と無線ＩＦ装置２との間の通信相手を決定するペアリング装置（つまり端末装置５）であって、表示パネル５１、ユーザー操作を受け付ける操作部（つまりタッチパネル５２）、プログラムを実行するプロセッサ５３、プログラムを記憶する記憶部５４および無線回路５５を備え、複数の照明器具１および複数の無線ＩＦ装置２の配置を示す配置マップを取得し、配置マップにおける複数の照明器具１および複数の無線ＩＦ装置２に仮アドレスを付与し、かつ、照明器具１の仮アドレスと無線ＩＦ装置２の仮アドレスとを１対多で対応付けることによって仮ペアリングデータを生成し、配置マップに従って複数の照明器具１および複数の無線ＩＦ装置２が設置された設置段階において、仮ペアリングデータにおける仮アドレスを実アドレスに対応付けることによって本ペアリングデータを生成し、無線回路）を介して、複数の照明器具１および複数の無線ＩＦ装置２のそれぞれに、本ペアリングデータで対応付けられた実アドレスを通知し、通信相手の実アドレスとして記憶させる。
【０１６３】
これによれば、ペアリングにかかる時間および手間を軽減することができる。
【０１６４】
以上、本発明に係るペアリング方法およびペアリング装置について、実施の形態に基づいて説明したが、本発明は、実施の形態に限定されるものではない。本発明の主旨を逸脱しない限り、当業者が思いつく各種変形を本実施の形態に施したものや、実施の形態および変形例における一部の構成要素を任意に組み合わせて構築される別の形態も、本発明の範囲内に含まれる。
【符号の説明】
【０１６５】
１  照明器具
２  無線ＩＦ装置
５  端末装置（ペアリング装置）
５１  表示パネル
５２  タッチパネル（操作部）
５３  プロセッサ
５４  記憶部
５５  無線回路
６７  仮ペアリングデータ
６８  本ペアリングデータ
【図１】
2019133808.tif 000003
【図２】
2019133808.tif 000004
【図３】
2019133808.tif 000005
【図４】
2019133808.tif 000006
【図５】
2019133808.tif 000007
【図６】
2019133808.tif 000008
【図７】
2019133808.tif 000009
【図８】
2019133808.tif 000010
【図９】
2019133808.tif 000011
【図１０】
2019133808.tif 000012
【図１１】
2019133808.tif 000013
【図１２】
2019133808.tif 000014
【図１３】
2019133808.tif 000015
【図１４】
2019133808.tif 000016
【図１５】
2019133808.tif 000017
【図１６】
2019133808.tif 000018
【図１７】
2019133808.tif 000019
【図１８】
2019133808.tif 000020
【図１９】
2019133808.tif 000021
【図２０】
2019133808.tif 000022
【図２１】
2019133808.tif 000023
【図２２】
2019133808.tif 000024
【図２３】
2019133808.tif 000025
【図２４】
2019133808.tif 000026
【図２５】
2019133808.tif 000027
【図２６】
2019133808.tif 000028
【図２７】
2019133808.tif 000029
【図２８】
2019133808.tif 000030